(57)【要約】【課題】本発明の目的は、少なくとも１つの表示領域において突起のないガラスセラミック板を備えるガラスセラミッククックトップを提供することである。【解決手段】ガラスセラミッククックトップが提供される。該ガラスセラミッククックトップは、突起パターンを有する。この突起パターンは、クックトップの辺縁領域において削り落とされ、浅い角度を有する平坦なファセット面３を形成する。この平坦なファセット面３は、表示領域５として用いることができる。【選択図】図１
2014194332.tif 000002
【特許請求の範囲】
【請求項１】
ガラスセラミッククックトップであって、
平滑な上面（１）と、表面に突起パターン（２０）を有する下面（２）とを有するガラスセラミック板と、
前記ガラスセラミック板の下に配置される加熱素子と、
を備え、
少なくとも１つの表示領域（５）が前記ガラスセラミック板の辺縁領域に配置され、前記表示領域は研磨した平坦なファセット面（３）として形成され、該平坦なファセット面（３）は前記下面（２）に対して浅い角度で傾いている、ガラスセラミッククックトップ。
【請求項２】
前記ガラスセラミック板の前記下面（２）に対するファセット面角度は、１８０度から２度〜６度引いた範囲に相当する、請求項１に記載のガラスセラミッククックトップ。
【請求項３】
前記平坦なファセット面（３）は、１０ｍｍ〜６０ｍｍの範囲の幅を有する、請求項１又は２に記載のガラスセラミッククックトップ。
【請求項４】
１つ又は複数の前記表示エリア（５）は、前記ガラスセラミック板の下面コーティング（４）における開放領域によって画定される、請求項１〜３のいずれか１項に記載のガラスセラミッククックトップ。
【請求項５】
前記表示領域（５）の少なくとも幾つかは、該表示領域（５）に連係するＬＥＤ表示ユニット（６）を有する、請求項４に記載のガラスセラミッククックトップ。
【発明の詳細な説明】
【技術分野】
【０００１】
本発明は、ガラスセラミッククックトップに関する。ガラスセラミッククックトップは、平坦な上面と、表面に突起パターンを有する下面とを有するガラスセラミック板を有する。放射加熱素子又は誘導加熱素子が、ガラスセラミック板の下において、かつその加熱素子の周りの一部に開放領域を残して配置される。
【背景技術】
【０００２】
特許文献１から、クックトップ用のガラスセラミック板が既知である。このガラスセラミック板は、突起のない帯状部を除いて、下面に突起パターンが設けられる。この突起のない帯状部の領域では、ガラスセラミック板の上面及び下面は互いに完全に平行に延在している。そのため、静電容量センサーをその領域に取り付けることができる。
【０００３】
ガラスセラミック板の下面の突起パターンにより、ガラスセラミック板は製造中及び組立て時に引っ掻き傷をより受けにくくなる。突起は、４０μｍ〜２００μｍの範囲の高さを有し、平滑な上面からガラスセラミック板を通してはっきりと見える。これは、表示領域がガラスセラミック板の下に設けられている場合でさえも当てはまる。したがって、突起は表示領域から取り除かれていることが望ましい。しかしながら、クックトップ用のガラスセラミック板は非常に繊細であるため、突起を削り落とすことには問題がある。つまり、突起の高さは様々であるため、突起のみを削り落とすことは実際にはほとんど不可能である。それどころか、クックトップの底側の表面を僅かに削り込んでしまうことが不可避である。一方、これによりクックトップにおいて段差を生じ、具体的には、負荷、すなわち使用中の上からの負荷を受けたとき、その段差に沿った破損の危険性を必然的に伴う。
【先行技術文献】
【特許文献】
【０００４】
【特許文献１】独国特許第１９６３３７０６号
【発明の概要】
【発明が解決しようとする課題】
【０００５】
本発明の目的は、少なくとも１つの表示領域においても突起のないガラスセラミック板を備えるガラスセラミッククックトップを提供することである。
【課題を解決するための手段】
【０００６】
この目的は、ガラスセラミック板の辺縁部に配置される突起のない表示領域を有することと、突起のない表示領域を、研磨した（ground and polished）平坦なファセット面（facet）として形成することによって達成される。このファセット面は、突起が設けられているクックトップの下面に、途切れなく一体化（merge）している。
【０００７】
ファセット面として、研磨した表示領域は、ガラスセラミック板の平面に対して、小さいが傾斜角を有する。そのため、表示領域の平滑な表面と、突起のある表面との間に途切れのない遷移部が存在する。その角度は平坦な角度と称することができるが、しかし、ガラスセラミック板の本体において、具体的には突起のある領域とファセット面との間に、鈍角も見出すことができる。このようにして、繊細なガラスセラミック板を、損傷又は破損の危険性なく、改善されたガラスセラミッククックトップにおいて用いるように採用することができることが見出されている。
【０００８】
平坦なファセット面の傾斜角は、ガラスセラミック板の板面に対して２度〜６度の範囲であることが好ましい。平坦なファセット面の幅は、クックトップに応じて１０ｍｍ〜６０ｍｍの範囲とすることができる。クックトップの下の構造体を覆うために、ガラスセラミック板には、表示領域を除いて下面コーティングを設けることができる。
【図面の簡単な説明】
【０００９】
【図１】ガラスセラミック板の下面の僅かな部分の斜視図である。
【図２】ガラスセラミック板の上面の図である。
【発明を実施するための形態】
【００１０】
１つの例示的な実施形態が、図面を参照して説明される。図示されているガラスセラミック板は、上面１と下面２とを有し、下面２には突起２０が設けられている。上面１は、平滑であり、調理器具を上に置くのに適している。突起のある下面２は、ガラスセラミック板を、加工中の引っ掻き傷から保護する。突起は４０μｍ〜２００μｍの範囲の高さを有する。ガラスセラミック板の辺縁帯状部は、突起のない平坦なファセット面３として形成される。ファセット面３は、平滑で平坦な、斜めに傾いた面を有する。平坦なファセット面３は、本来は縁に至るまで突起を設けることができるガラスセラミック板の辺縁部を研磨することによって形成される。ファセット面の切削は、ガラスセラミック板の平面に対して２度から６度の角度範囲で達成される。家庭向けのクックトップの場合、ファセット面の切削角度は３度であり、ファセット面の幅は３５ｍｍである。より大きなガラスセラミック板は、より大きなファセット面帯状部を有することができる。
【００１１】
ガラスセラミック板の下面２には、表示窓５を除いて下面コーティング４が設けられている。表示窓５は、平坦なファセット面辺縁領域３の位置に、また突起のある領域にも設けることができる。下面コーティング４はクックトップの下側の構造体を覆う。
【００１２】
表示窓５には記号又は文字を表示することができる。これらの記号又は文字は、例えば、連係している表示窓５に、例えばＬＥＤ表示ユニット６によって下から投影される。
【００１３】
言うまでもなく、ガラスセラミッククックトップは、このガラスセラミッククックトップに付随する加熱素子を有する。この加熱素子はガラスセラミック板の下に位置決めされるが、必ずしも示されてはいない。
【図１】
2014194332.tif 000003
【図２】
2014194332.tif 000004
【外国語明細書】
2014194332.tif 000005
2014194332.tif 000006
2014194332.tif 000007
2014194332.tif 000008
2014194332.tif 000009
2014194332.tif 000010
2014194332.tif 000011
2014194332.tif 000012